【手続補正書】
【提出日】平成25年11月27日(2013.11.27)
【手続補正１】
【補正対象書類名】特許請求の範囲
【補正対象項目名】全文
【補正方法】変更
【補正の内容】
【特許請求の範囲】
【請求項１】
ワイヤレス通信のための第１の装置において、
第２の装置が、単一ユーザ複数入力複数出力（ＳＵ−ＭＩＭＯ）またはマルチユーザＭＩＭＯ（ＭＵ−ＭＩＭＯ）を使用して前記第１の装置と通信している場合に、信号対ノイズ比（ＳＮＲ）に関連する情報を含むフレームを発生させるように構成されている処理システムと、
前記発生させたフレームに基づく信号を前記第２の装置に送信するように構成されている送信機とを具備し、
前記フレームは、ギブンス回転角ΨおよびΦのそれぞれに対するビット分解を示す２ビットを含む第１の装置。
【請求項２】
前記フレームは、前記ＳＮＲの値を表すためのビットの数を示す２ビットを含む請求項１記載の第１の装置。
【請求項３】
前記ビットの数が４ビットである請求項２記載の第１の装置。
【請求項４】
前記ＳＮＲの値は、副搬送波、および、ビームフォーミング行列の列に対して決定されたＳＮＲと、前記列に対応する空間時間ストリームの平均ＳＮＲとの間のデシベル（ｄＢ）における差分を含む請求項２記載の第１の装置。
【請求項５】
前記フレームは、トーングルーピングのためのグループパラメータの数（Ｎｇ’）を示す２ビットを含む請求項１記載の第１の装置。
【請求項６】
ワイヤレス通信のための方法において、
第１の装置において、第２の装置が、単一ユーザ複数入力複数出力（ＳＵ−ＭＩＭＯ）またはマルチユーザＭＩＭＯ（ＭＵ−ＭＩＭＯ）を使用して前記第１の装置と通信している場合に、信号対ノイズ比（ＳＮＲ）に関連する情報を含むフレームを発生させることと、
前記発生させたフレームに基づく信号を前記第２の装置に送信することとを含み、
前記フレームは、ギブンス回転角ΨおよびΦのそれぞれに対するビット分解を示す２ビットを含む方法。
【請求項７】
前記フレームは、前記ＳＮＲの値を表すためのビットの数を示す２ビットを含む請求項６記載の方法。
【請求項８】
前記ビットの数が４ビットである請求項７記載の方法。
【請求項９】
前記ＳＮＲの値は、副搬送波、および、ビームフォーミング行列の列に対して決定されたＳＮＲと、前記列に対応する空間時間ストリームの平均ＳＮＲとの間のデシベル（ｄＢ）における差分を含む請求項７記載の方法。
【請求項１０】
前記フレームは、トーングルーピングのためのグループパラメータの数（Ｎｇ’）を示す２ビットを含む請求項６記載の方法。
【請求項１１】
ワイヤレス通信のための第１の装置において、
第２の装置が、単一ユーザ複数入力複数出力（ＳＵ−ＭＩＭＯ）またはマルチユーザＭＩＭＯ（ＭＵ−ＭＩＭＯ）を使用して前記第１の装置と通信している場合に、信号対ノイズ比（ＳＮＲ）に関連する情報を含むフレームを発生させる手段と、
前記発生させたフレームに基づく信号を前記第２の装置に送信する手段とを具備し、
前記フレームは、ギブンス回転角ΨおよびΦのそれぞれに対するビット分解を示す２ビットを含む第１の装置。
【請求項１２】
前記フレームは、前記ＳＮＲの値を表すためのビットの数を示す２ビットを含む請求項１１記載の第１の装置。
【請求項１３】
前記ビットの数が４ビットである請求項１２記載の第１の装置。
【請求項１４】
前記ＳＮＲの値は、副搬送波、および、ビームフォーミング行列の列に対して決定されたＳＮＲと、前記列に対応する空間時間ストリームの平均ＳＮＲとの間のデシベル（ｄＢ）における差分を含む請求項１２記載の第１の装置。
【請求項１５】
前記フレームは、トーングルーピングのためのグループパラメータの数（Ｎｇ’）を示す２ビットを含む請求項１１記載の第１の装置。
【請求項１６】
ワイヤレス通信のためのコンピュータプログラムにおいて、
第１の装置において、第２の装置が、単一ユーザ複数入力複数出力（ＳＵ−ＭＩＭＯ）またはマルチユーザＭＩＭＯ（ＭＵ−ＭＩＭＯ）を使用して前記第１の装置と通信している場合に、信号対ノイズ比（ＳＮＲ）に関連する情報を含むフレームを発生させるようコンピュータに行わせるための命令と、
前記発生させたフレームに基づく信号を前記第２の装置に送信するようコンピュータに行わせるための命令とを含み、
前記フレームは、ギブンス回転角ΨおよびΦのそれぞれに対するビット分解を示す２ビットを含むコンピュータプログラム。
【請求項１７】
ワイヤレスノードにおいて、
少なくとも１本のアンテナと、
装置が、単一ユーザ複数入力複数出力（ＳＵ−ＭＩＭＯ）またはマルチユーザＭＩＭＯ（ＭＵ−ＭＩＭＯ）を使用して前記ワイヤレスノードと通信している場合に、信号対ノイズ比（ＳＮＲ）に関連する情報を含むフレームを発生させるように構成されている処理システムと、
前記発生されたフレームに基づいて、前記少なくとも１本のアンテナを介して、信号を前記装置に送信するように構成されている送信機とを具備し、
前記フレームは、ギブンス回転角ΨおよびΦのそれぞれに対するビット分解を示す２ビットを含むワイヤレスノード。
【請求項１８】
ワイヤレス通信のための装置において、
チャネル状態情報（ＣＳＩ）を含む構造を発生させるように構成されている処理システムと、
チャネルにわたって前記構造を送信するように構成されている送信機とを具備し、
前記ＣＳＩは、前記装置に関係付けられている前記チャネルの推定を持つ第１の行列、または、前記第１の行列の特異値分解（ＳＶＤ）に基づいて取得される第２の行列のうちの少なくとも１つを含み、前記構造は、前記第１および第２のいずれの行列が前記ＣＳＩ中に含まれているかの表示をさらに含み、
前記構造は、前記ＣＳＩが前記第１の行列を含む場合、ギブンス回転角ΨおよびΦのそれぞれに対するビット分解を示す２ビットを含む装置。
【請求項１９】
前記構造は、前記第１の行列または前記第２の行列の列または行の数、前記チャネルに関係付けられている帯域幅、前記ＣＳＩのサンプリングについての表示、あるいは、前記ＣＳＩを表すために使用されるビットの数についての表示のうちの少なくとも１つをさらに含む請求項１８記載の装置。
【請求項２０】
前記第１および第２のいずれの行列が前記ＣＳＩ中に含まれているかの表示は、
前記ＣＳＩが前記第１の行列を含む場合に、ビームフォーミング行列Ｖを示す第１のタイプ、または、
前記ＣＳＩが前記第２の行列を含む場合に、チャネル行列Ｈを示す第２のタイプを含む請求項１８記載の装置。
【請求項２１】
前記構造は、超高スループット（ＶＨＴ）複数入力複数出力（ＭＩＭＯ）制御フィールドを含み、前記表示は、前記ＶＨＴ ＭＩＭＯ制御フィールド中のサブフィールドとして表される請求項１８記載の装置。
【請求項２２】
前記処理システムは、前記第１の行列、前記第２の行列、または、前記構造に含めるための１つ以上のパラメータのうちの少なくとも１つを決定するように構成されている請求項１８記載の装置。
【請求項２３】
前記１つ以上のパラメータは、前記ＣＳＩのサンプリングについての表示、または、前記ＣＳＩを表すために使用されるビットの数についての表示のうちの少なくとも１つを含む請求項２２記載の装置。
【請求項２４】
ワイヤレス通信のための方法において、
装置において、チャネル状態情報（ＣＳＩ）を含む構造を発生させることと、
チャネルにわたって前記構造を送信することを含み、
前記ＣＳＩは、前記装置に関係付けられている前記チャネルの推定を持つ第１の行列、または、前記第１の行列の特異値分解（ＳＶＤ）に基づいて取得される第２の行列のうちの少なくとも１つを含み、前記構造は、前記第１および第２のいずれの行列が前記ＣＳＩ中に含まれているかの表示をさらに含み、
前記構造は、前記ＣＳＩが前記第１の行列を含む場合、ギブンス回転角ΨおよびΦのそれぞれに対するビット分解を示す２ビットを含む方法。
【請求項２５】
前記構造は、前記第１の行列または前記第２の行列の列または行の数、前記チャネルに関係付けられている帯域幅、前記ＣＳＩのサンプリングについての表示、あるいは、前記ＣＳＩを表すために使用されるビットの数についての表示のうちの少なくとも１つをさらに含む請求項２４記載の方法。
【請求項２６】
前記第１および第２のいずれの行列が前記ＣＳＩ中に含まれているかの表示は、
前記ＣＳＩが前記第１の行列を含む場合に、ビームフォーミング行列Ｖを示す第１のタイプ、または、
前記ＣＳＩが前記第２の行列を含む場合に、チャネル行列Ｈを示す第２のタイプを含む請求項２４記載の方法。
【請求項２７】
前記構造は、超高スループット（ＶＨＴ）複数入力複数出力（ＭＩＭＯ）制御フィールドを含み、前記表示は、前記ＶＨＴ ＭＩＭＯ制御フィールド中のサブフィールドとして表される請求項２４記載の方法。
【請求項２８】
前記第１の行列、前記第２の行列、または、前記構造に含めるための１つ以上のパラメータのうちの少なくとも１つを決定することをさらに含む請求項２４記載の方法。
【請求項２９】
前記１つ以上のパラメータは、前記ＣＳＩのサンプリングについての表示、または、前記ＣＳＩを表すために使用されるビットの数についての表示のうちの少なくとも１つを含む請求項２８記載の方法。
【請求項３０】
ワイヤレス通信のための装置において、
チャネル状態情報（ＣＳＩ）を含む構造を発生させる手段と、
チャネルにわたって前記構造を送信する手段とを具備し、
前記ＣＳＩは、前記装置に関係付けられている前記チャネルの推定を持つ第１の行列、または、前記第１の行列の特異値分解（ＳＶＤ）に基づいて取得される第２の行列のうちの少なくとも１つを含み、前記構造は、前記第１および第２のいずれの行列が前記ＣＳＩ中に含まれているかの表示をさらに含み、
前記構造は、前記ＣＳＩが前記第１の行列を含む場合、ギブンス回転角ΨおよびΦのそれぞれに対するビット分解を示す２ビットを含む装置。
【請求項３１】
前記構造は、前記第１の行列または前記第２の行列の列または行の数、前記チャネルに関係付けられている帯域幅、前記ＣＳＩのサンプリングについての表示、あるいは、前記ＣＳＩを表すために使用されるビットの数についての表示のうちの少なくとも１つをさらに含む請求項３０記載の装置。
【請求項３２】
前記第１および第２のいずれの行列が前記ＣＳＩ中に含まれているかの表示は、
前記ＣＳＩが前記第１の行列を含む場合に、ビームフォーミング行列Ｖを示す第１のタイプ、または、
前記ＣＳＩが前記第２の行列を含む場合に、チャネル行列Ｈを示す第２のタイプを含む請求項３０記載の装置。
【請求項３３】
前記構造は、超高スループット（ＶＨＴ）複数入力複数出力（ＭＩＭＯ）制御フィールドを含み、前記表示は、前記ＶＨＴ ＭＩＭＯ制御フィールド中のサブフィールドとして表される請求項３０記載の装置。
【請求項３４】
前記第１の行列、前記第２の行列、または、前記構造に含めるための１つ以上のパラメータのうちの少なくとも１つを決定する手段をさらに具備する請求項３０記載の装置。
【請求項３５】
前記１つ以上のパラメータは、前記ＣＳＩのサンプリングについての表示、または、前記ＣＳＩを表すために使用されるビットの数についての表示のうちの少なくとも１つを含む請求項３４記載の装置。
【請求項３６】
ワイヤレス通信のためのコンピュータプログラムにおいて、
装置において、チャネル状態情報（ＣＳＩ）を含む構造を発生させるようコンピュータに行わせるための命令と、
チャネルにわたって前記構造を送信するようコンピュータに行わせるための命令とを含み、
前記ＣＳＩは、前記装置に関係付けられている前記チャネルの推定を持つ第１の行列、または、前記第１の行列の特異値分解（ＳＶＤ）に基づいて取得される第２の行列のうちの少なくとも１つを含み、前記構造は、前記第１および第２のいずれの行列が前記ＣＳＩ中に含まれているかの表示をさらに含み、
前記構造は、前記ＣＳＩが前記第１の行列を含む場合、ギブンス回転角ΨおよびΦのそれぞれに対するビット分解を示す２ビットを含むコンピュータプログラム。
【請求項３７】
アクセス端末において、
少なくとも１本のアンテナと、
チャネル状態情報（ＣＳＩ）を含む構造を発生させるように構成されている処理システムと、
前記少なくとも１本のアンテナを介して、チャネルにわたって前記構造を送信するように構成されている送信機とを具備し、
前記ＣＳＩは、前記アクセス端末に関係付けられている前記チャネルの推定を持つ第１の行列、または、前記第１の行列の特異値分解（ＳＶＤ）に基づいて取得される第２の行列のうちの少なくとも１つを含み、前記構造は、前記第１および第２のいずれの行列が前記ＣＳＩ中に含まれているかの表示をさらに含み、
前記構造は、前記ＣＳＩが前記第１の行列を含む場合、ギブンス回転角ΨおよびΦのそれぞれに対するビット分解を示す２ビットを含むアクセス端末。